(57)【要約】【課題】使用者の立ち姿勢及び歩行姿勢を改善することができる接足部構造を提供すること。【解決手段】接足部構造１は、人の足裏９０に当接して足裏９０を支持する。そして、接足部構造１は、後方突出部１０、一対の側方突出部２０（２１、２２）とを備える。後方突出部１０は、前後方向Ｙの中央Ｙ０よりも後方Ｙ２において上方Ｚ１に突出するように設けられている。一対の側方突出部２０（２１、２２）は、足裏９０の幅方向Ｘの両端部において、上方Ｚ１に突出するとともに前後方向Ｙの中央Ｙ０を含んで前後方向Ｙに延設されている。【選択図】図１
2018187114.tif 000002
【特許請求の範囲】
【請求項１】
人の足裏に当接して該足裏を支持する接足部構造であって、
爪先部側を前方とし、踵部側を後方として、前後方向の中央よりも後方において上方に突出するように設けられた後方突出部と、
上記足裏の幅方向の両端部において、上方に突出するとともに前後方向の中央を含んで前後方向に延設された一対の側方突出部と、
を備える、接足部構造。
【請求項２】
上記後方突出部は、曲面状をなしている、請求項１に記載の接足部構造。
【請求項３】
前後方向の中央よりも前方には、前方が低位でかつ幅方向に延設された前方段差部が設けられている、請求項１又は２に記載の接足部構造。
【請求項４】
請求項１〜３のいずれか一項に記載の接足部構造を有する、履物。
【発明の詳細な説明】
【技術分野】
【０００１】
本発明は、接足部構造及び履物に関する。
【背景技術】
【０００２】
従来、履物やその中敷として、足裏が当たる箇所に種々の突起を備えたものがある。特許文献１には、踵、土踏まず及び指関節のつぼに対向する位置に比較的大きな突起を設けるとともに、その他の場所に比較的小さな突起を設けて、つぼ刺激効果と偏平足の矯正効果を奏するように構成された履物が開示されている。
【先行技術文献】
【特許文献】
【０００３】
【特許文献１】実用新案登録第３１２６９６８号公報
【発明の概要】
【発明が解決しようとする課題】
【０００４】
人の理想的な立ち姿勢では、人の側方視において、距骨、外くるぶし、膝の後方面、大転子、肩先及び耳たぶが一直線となる。そして、特許文献１に開示の構成では、比較的大きい突起は、踵、土踏まず及び指関節に対向する位置にあり、足の幅方向の内側には土踏まずに対向する突起が設けられている。しかしながら、足の幅方向の外側には突起が設けられておらず、足裏は幅方向外側から突起によって支持されていない。これにより、足が外側に倒れる方向に力が加わった場合には、足が外側に倒れることを防止できず、理想的な立ち姿勢を維持することが困難となる。
【０００５】
また、人の理想的な歩行姿勢では、身体の重心が、踏み出した足の踵、小指の付け根、親指の順に移動する。しかしながら、特許文献１に開示の構成では、上述のごとく、足裏は幅方向外側から突起によって支持されていないため、歩行中に足が外側に倒れる方向に力が加わった場合には身体の重心が足の外側に移動して、理想的な歩行姿勢を維持することが困難となる。
【０００６】
従って、特許文献１に開示の構成では、使用者の立ち姿勢及び歩行姿勢を改善して理想的な立ち姿勢及び歩行姿勢に近づけるには改善の余地がある。
【０００７】
本発明は、かかる背景に鑑みてなされたものであり、使用者の立ち姿勢及び歩行姿勢を改善することができる接足部構造を提供しようとするものである。
【課題を解決するための手段】
【０００８】
本発明の一態様は、の足裏に当接して該足裏を支持する接足部構造であって、
爪先部側を前方とし、踵部側を後方として、前後方向の中央よりも後方において上方に突出するように設けられた後方突出部と、
上記足裏の幅方向の両端部において、上方に突出するとともに前後方向の中央を含んで前後方向に延設された一対の側方突出部と、
を備える、接足部構造にある。
【発明の効果】
【０００９】
上記接足部構造では、幅方向の両端部に一対の側方突出部が設けられており、当該一対の側方突出部は上方に突出するとともに前後方向の中央を含んで前後方向に延設されている。これにより、一対の側方突出部のうちの一方の側方突出部が足裏の土踏まずに当接して、他方の側方突出部が足裏の幅方向外側部に当接して足裏を幅方向外側から支持することができる。これにより、足が外側に倒れることを防止することができ、理想的な立ち姿勢及び歩行姿勢を維持して、使用者の立ち姿勢及び歩行姿勢を改善することができる。
【００１０】
さらに、理想的な立ち姿勢を維持するには、距骨の上方に外くるぶし、膝の後方面、大転子、肩先及び耳たぶが一直線に並ぶように、距骨に身体の重心が位置するように意識することが重要となる。しかしながら、立ち姿勢では踵や爪先に重心が乗りやすいため、距骨に重心が位置するように意識することは難しい。この点に鑑み、上記接足部構造では、前後方向の中央よりも後方に後方突出部が設けられており、当該後方突出部は上方に突出しているため、後方突出部の頂点が足裏の距骨の下方位置に当接しやすくなっている。これにより、後方突出部の頂点が足裏に当接することによって、使用者は距骨の下方位置を意識しやすくなるため、距骨に重心が位置するように意識することが容易となる。その結果、使用者は積極的に距骨に重心を位置させて、距骨の上方に外くるぶし、膝の後方面、大転子、肩先及び耳たぶが一直線に並ぶようにすることにより、理想的な立ち姿勢となるように立ち姿勢を改善することができる。また、一対の側方突出部が幅方向の両端部に設けられているため、足の内側又は外側に重心が偏ることを防止できる。これによっても、上記理想的な立ち姿勢となるように立ち姿勢を改善することができる。
【００１１】
さらに、人の理想的な歩行姿勢では、身体の重心は、踏み出した足の踵、小指の付け根、親指の順に移動する。従って、まず最初に踏み出した足の踵に重心を位置させることが重要となる。そして、上記接足部構造では、後方突出部が設けられていることにより、歩行時に足を着地させるたびに後方突出部により踵近辺が押圧されることとなる。そして、仮に地面に垂直に足を下ろすような悪い歩行姿勢であっても、後方突出部によって踵近辺が押圧されるため、使用者は足を着地させる際に最初に踵に重心を位置させやすくなる。その結果、理想的な歩行姿勢に近づくように歩行姿勢を改善することができる。さらに、立った状態及び歩行状態のいずれにおいても後方突出部が足裏を押圧するために、足裏を指圧されたような気持良さを使用者に感じさせることができる。
【００１２】
さらに、上記接足部構造では、一対の側方突出部のうちの一方の側方突出部が足裏の土踏まずに当接して土踏まずがアーチ状をなすように支持することができるため、偏平足になるのを防止することができる。さらに、一対の側方突出部により、足全体における前後方向のアーチ形状が維持されるように足裏を支持することができるため、足のクッション性を向上させて、歩行時における足や腰ひいては体全体への衝撃を緩和することができる。さらに、一対の側方突出部によって、幅方向の両端側から足裏を支持することができるため、当該接足部構造が幅方向において位置ずれするのを防止することができる。これにより、後方突出部が足裏の距骨の下方位置に当接した状態を維持することができるため、使用者に距骨の位置を一層意識させやすくなる。
【００１３】
さらに、上記接足部構造では、後方突出部と一対の側方突出部の両方が設けられているため、後方突出部によって使用者に足裏の踵近辺を意識させるとともに、一対の側方突出部によって踵よりも前方の爪先側に位置する小指の付け根、親指などを意識させることができる。これにより、使用者は、足裏の踵を地面に着けた後、身体の重心を踵、小指の付け根、親指の順に移動させて爪先側を地面につける理想的な歩行姿勢を維持しやすくなり、歩行姿勢を改善することができる。
【００１４】
以上のごとく、本発明によれば、使用者の立ち姿勢及び歩行姿勢を改善することができる接足部構造を提供することができる。
【図面の簡単な説明】
【００１５】
【図１】実施例１における、接足部構造を有する履物の斜視図。
【図２】実施例１における、接足部構造を有する履物の上面図。
【図３】実施例１における、接足部構造を有する履物の側面図。
【図４】実施例１における、接足部構造を有する履物の下面図。
【図５】実施例１における、接足部構造を有する履物の正面図。
【図６】図２における、VI-VI線位置断面図。
【図７】図２における、VII-VII線位置断面図。
【図８】図２における、VIII-VIII線位置断面図。
【図９】図２における、IX-IX線位置断面図。
【図１０】図２における、X-X線位置断面図。
【図１１】実施例１における、履物の使用態様を説明する概念図。
【図１２】図１２（ａ）は変形例における後方突出部を取り付けた状態の図２のVI-VI線位置相当の断面図、図１２（ｂ）は変形例における後方突出部を取り外した状態の図２のVI-VI線位置相当の断面図。
【図１３】実施例２における、接足部構造を有する履物用中敷の斜視図。
【図１４】実施例２における、図２のVI-VI線位置相当の断面図。
【発明を実施するための形態】
【００１６】
上記後方突出部は、曲面状をなしていることが好ましい。この場合は、上述の通り、後方突出部は上方に突出しているため、後方突出部の頂点を含む領域が所定曲率の凸曲面となる。これにより、後方突出部が足裏に過度に刺激を与えることを防止できる。さらに、仮に後方突出部の頂点が、距骨の下方位置から若干ずれた位置にある場合でも、後方突出部の頂点近傍の領域が足裏の距骨の下方位置に当接しやすいため、後方突出部により距骨の位置を使用者に一層意識させやすくなる。
【００１７】
前後方向の中央よりも前方には、前方が低位でかつ幅方向に延設された前方段差部が設けられていることが好ましい。この場合には、当該前方段差部に足指を引っ掛けるようにしたり、当該前方段差部を足指で掴むようにしたりしやすくなる。これらにより、使用者に足指で物を掴むという感覚を呼び覚ますことができ、足裏感覚の向上・改善が図られる。また、前方段差部に足指を引っ掛けたり、前方段差部を足指で掴むことにより、使用中に当該接足部構造が足裏から離れることを防止することができる。また、前方段差部と後方突出部までの距離を足指から距骨の下方領域までの距離と合わせることで、より理想的な重心位置を意識させることができる。
【００１８】
本発明の他の態様は、上記接足部構造を有する履物にある。当該履物では、当該履物を履くことにより、上記接足部構造によって奏される上記作用効果を奏することができる。
【実施例】
【００１９】
（実施例１）
上記接足部構造の実施例について、図１〜図１１を用いて説明する。
本実施例の接足部構造１は、図１１に示すように、人の足裏９０に当接して足裏９０を支持する。そして、図１、図２に示すように、接足部構造１は、後方突出部１０、一対の側方突出部２０（２１、２２）とを備える。
踵部２から爪先部３に向かう方向を前方Ｙ１とし、爪先部３から踵部２に向かう方向を後方Ｙ２とする。
後方突出部１０は、図６に示すように、前後方向Ｙの中央Ｙ０よりも後方Ｙ２において上方Ｚ１に突出するように設けられている。
一対の側方突出部２０（２１、２２）は、図９に示すように、足裏９０の幅方向Ｘの両端部において、上方Ｚ１に突出するとともに、図２に示すように、前後方向Ｙの中央Ｙ０を含んで前後方向Ｙに延設されている。
【００２０】
なお、本明細書では、前方Ｙ１は踵部２から爪先部３に向かう方向であり、後方Ｙ２は爪先部３から踵部２に向かう方向であり、両者を合わせて「前後方向Ｙ」という。また、足の幅の方向を「幅方向Ｘ」という。また、図１１に示すように、接足部構造１において人の足裏９０に近づく方向を「上方Ｚ１」といい、接足部構造１において人の足裏９０から離れる方向を「下方Ｚ２」といい、上方Ｚ１と下方Ｚ２を合わせて、上下方向Ｚという。図１に示すように、前後方向Ｙ、幅方向Ｘ及び上下方向Ｚは互いに直交している。
【００２１】
本実施例の接足部構造１について、以下に詳述する。
図１、図２に示すように、本実施例の接足部構造１は、サンダル状の履物１００の内底部を構成している。接足部構造１は履物１００において、足裏と接する面を含んだ、足裏を支持する部分を構成している。本例では、履物１００は、エチレン−酢酸ビニル競合樹脂（ＥＶＡ）、ポリエチレン系エラストマー、ポリスチレン系エラストマー、発泡ウレタン材などの軟質樹脂製であって、一色成形により形成されている。履物１００は幅方向Ｘの両端から足の甲を覆うことができるように帯状に形成された保持部４を有する。履物１００の爪先部２は上方Ｚ１に開口している。
【００２２】
図３に示すように、接足部構造１の前方端部１ａと後方端部１ｂとの距離Ｄ０、すなわち、接足部構造１の前後方向Ｙに長さＤ０は特に限定されないが、本例では、２７０ｍｍとしている。また、図３に示すように、接足部構造１は、使用していない状態で地面に載置した初期状態において、前方端部１ａよりも後方端部１ｂが上方Ｚ１に位置している。特に限定されないが、本例では、前方端部１ａの高さＨａ、すなわち、初期状態における地面からの最短距離Ｈａは１８．０ｍｍとしている。また、後方端部１ｂの高さＨｂ、すなわち、初期状態における地面からの最短距離Ｈｂは３９．５ｍｍとしている。
【００２３】
図２に示すように、後方突出部１０は、接足部構造１における前後方向Ｙの中央Ｙ０よりも後方Ｙ２の領域に設けられている。後方突出部１０は平面視で略円形を成している。図６に示すように、後方突出部１０は上方Ｚ１に突出して、曲面状をなしている。後方突出部１０の形状は、例えば、上方Ｚ１に突出する球面状、楕円面状、ラグビーボールの一部の形状を模した形状などとすることができる。本例では、後方突出部１０は上方Ｚ１に突出した球面状であって、後方突出部１０の頂点１０ａにおける曲率半径は、例えば１０〜１１５ｍｍとすることができ、本例では５７．５ｍｍとしている。図２に示すように、後方突出部１０の外縁に沿った溝状の後方溝部１１が設けられている。後方溝部１１の幅及び深さは特に限定されないが、本例では約１．０ｍｍとしている。
【００２４】
そして、図９に示すように、後方突出部１０の高さＨ１、すなわち、使用していない状態で地面に載置した初期状態における後方溝部１１の最深位置１１ａと、後方突出部１０の上方Ｚ１の頂点１０ａとの上下方向Ｚにおける距離Ｈ１は、例えば、５．０〜１５ｍｍとすることができ、６．０〜１０ｍｍであることが好ましく、本例では８．７ｍｍとしている。なお、図２に示すように、頂点１０ａは幅方向Ｘの中央を通って前後方向Ｙに平行な中心線Ｘ０上に位置している。図２に示す平面視において、接足部構造１の面積に対する後方突出部１０の面積の比率は、１０〜４０％とすることができ、好ましくは１５〜３０％であり、さらに好ましくは２０〜２５％であり、本例では２０％としている。なお、本例では、図６に示すように、後方突出部１０の頂点１０ａと接足部構造１の後方端部１ｂとの距離Ｄ４は６２．５ｍｍとなっている。
【００２５】
図２に示すように、一対の側方突出部２０は、第１側方突出部２１と、第２側方突出部２２とからなる。第１側方突出部２１及び第２側方突出部２２は、接足部構造１、すなわち、履物１００の内底部の幅方向Ｘの両端部に設けられている。第１側方突出部２１及び第２側方突出部２２は、前後方向Ｙの中央Ｙ０を含んで前後方向Ｙに延設されている。図２に示すよう平面視において、前後方向Ｙの端部から中央Ｙ０に近づくに向かうにつれて互いに近づくように扁平した略楕円形を成している。そして、図１、図９に示すように、後方突出部１０は上方Ｚ１に突出して前後方向Ｙ及び幅方向Ｘにおいてアーチ状に湾曲する凸曲面状を成している。図１、図２に示すように、第１側方突出部２１及び第２側方突出部２２の外縁にはそれぞれ溝状に形成された側方溝部２１１、２２１が設けられている。側方溝部２１１、２２１の幅及び深さは特に限定されないが、本例では約１．０ｍｍとしている。
【００２６】
そして、図９に示す前後方向Ｙの中央Ｙ０における幅方向Ｘ及び上下方向Ｚに平行な断面において、第１側方突出部２１の高さＨ２、すなわち、初期状態における、側方溝部２１１の最上位置２１１ａと最下位置２１１ｂとの上下方向Ｚにおける距離Ｈ２は、１０〜３０ｍｍとすることができ、好ましくは１５〜２５ｍｍであり、本例では２０ｍｍとしている。第２側方突出部２２の高さＨ２、すなわち、第２側方突出部２２の最上位置２２１ａと最下位置２２１ｂの上下方向Ｚにおける距離Ｈ２も同様に第１側方突出部２１と同様である。
【００２７】
また、図９に示すように、第１側方突出部２１と第２側方突出部２２ともに幅方向Ｘにおいて、上方Ｚ１に突出するアーチ状を成している。図９に示す前後方向Ｙの中央Ｙ０において、第１側方突出部２１における上下方向Ｚの中央位置の頂点２１ａの曲率半径は例えば２５〜１４０ｍｍとすることができ、本例では６８ｍｍとしている。本例では、第２側方突出部２２における上下方向Ｚの中央位置の頂点２２ａの曲率も上記頂点２１ａの曲率と同様としている。
【００２８】
本例では、図７、図８、図９に示すように、一対の側方突出部２０の間には、中間突出部４０が形成されている。中間突出部４０は、幅方向Ｘにおいて上方Ｚ１に突出してアーチ状に湾曲する凸曲面４１を有する。図９に示す前後方向Ｙの中央Ｙ０において、凸曲面４１の曲率半径は、例えば３０〜３００ｍｍとすることができ、本例では８６ｍｍとしている。そして、図９に示す前後方向Ｙの中央Ｙ０における幅方向Ｘ及び上下方向Ｚに平行な断面において、中間突出部４０の高さＨ４、すなわち、初期状態における、中間突出部４０の頂点４０ａと最下位置２１１ｂとの上下方向Ｚにおける距離Ｈ４は、１．０〜５．０ｍｍとすることができ、本例では２．３ｍｍとしている。図６に示すように、中間突出部４０は、初期状態で、前後方向Ｙにおいて緩やかにわずかに凹んだ湾曲面をなしている。
【００２９】
また、本例では、図９に示す前後方向Ｙの中央Ｙ０における断面図のように、第１側方突出部２１の最上位置２１１ａと第２側方突出部２２の最上位置２２１ａとの間の距離Ｄ１は８５ｍｍであり、第１側方突出部２１における上下方向Ｚの中央位置の頂点２１ａとの第２側方突出部２２における上下方向Ｚの中央位置の頂点２２ａとの間の距離Ｄ２は６４．５ｍｍであり、第１側方突出部２１の最下位置２１１ｂと第２側方突出部２２の最下位置２２１ｂとの間の距離Ｄ３は４６．９ｍｍとしている。
【００３０】
図１、図２に示すように、前後方向Ｙの中央Ｙ０よりも前方Ｙ１には、前方段差部３０が設けられている、前方段差部３０は、図６に示すように、前方が低位となる段差状をなすとともに、図５に示すように幅方向Ｘに延設されている。本例では、前方段差部３０は、上方Ｚに突出している。これにより、前方段差部３０の前方に、前方段差部３０の突出方向の頂点３０ａよりも低位、すなわち、下方Ｚ２に位置する前方低位部３０ｂが形成されている。図６に示すように、前方段差部３０の高さＨ３は、３．０〜１０ｍｍとすることができ、好ましくは４．０〜６．０ｍｍであり、本例では４．７ｍｍとしている。そして、図１、図２に示すように、前方段差部３０の前方Ｙ１には、接足部構造１の爪先部３の外縁に略沿って略円弧状に形成された前方溝部３１が設けられている。前方溝部３１の幅及び深さは特に限定されないが、本例では約１．０ｍｍとしている。そして、前方溝部３１の後方Ｙ２の両端部は側方溝部２１１、２２１にそれぞれ繋がっている。
【００３１】
図３、図５に示すように、履物１００の底面５は、下方Ｚ２に突出する緩やかな凸曲面となっている。図４に示すように、底面５には凹部５１が設けられている。凹部５１は、図１０に示すように、後方突出部１０の裏面に位置しており、上方Ｚ１に向けて凹んでいる。そして、凹部５１の最深部５１ａと後方突出部１０の頂点１０ａとの距離Ｔ１、すなわち、後方突出部１０の頂点１０ａにおける厚さＴ１は、２０〜３５ｍｍとすることができ、本例では２９．９ｍｍとしている。
【００３２】
図４、図９に示すように、底面５には、底面溝５２が設けられている。底面溝５２は、図４に示すように、下面視で底面５の外形よりも一回り小さい略楕円環状に形成されている。そして、図９に示すように、本例では、底面溝５２は断面円弧状に形成されている。底面溝５２の深さは、図９に示す前後方向Ｙの中央Ｙ０で２．５ｍｍであって最も深く、前後方向Ｙの中央Ｙ０から前方Ｙ１及び後方Ｙ２に進むにつれて浅くなっている。
【００３３】
図２に示すように、接足部構造１は、幅方向Ｘの中央を通って前後方向Ｙに平行な中心線Ｘ０を基準として線対称に形成されている。すなわち、中心線Ｘ０を基準として、第１側方突出部２１と第２側方突出部２２とは互いに線対称の形状であって、後方突出部１０は、中心線Ｘ０を基準として線対称の形状を有している。また、保持部４も中心線Ｘ０を基準として線対称の形状を有している。そして、本例では、図４に示すように、履物１００の底面５も中心線Ｘ０を基準として線対称に形成されている。すなわち、凹部５１及び底面溝５２も中心線Ｘ０を基準として、線対称の形状を有している。
【００３４】
次に、本例の接足部構造１を有する履物１００の使用態様を説明する。図１１に示すように、履物１００の後方Ｙ２側から足９の爪先９１を履物１００の内側に挿入する。そして、足９の甲９４が保持部４に当接するまでで挿入することにより、足の指９２を前方段差部３０に接して掴むことができる位置に位置させるとともに、後方突出部１０を踵９３の若干前方Ｙ１に位置する距骨９５の下方位置と当接させる。これにより、一対の側方突出部２０の一方が図示しない土踏まずに当接し、他方が足９の幅方向Ｘの外側部に当接することとなる。
【００３５】
次に、本例の接足部構造１による作用効果について説明する。
本例の接足部構造１では、幅方向Ｘの両端部に一対の側方突出部２０（２１、２２）が設けられており、一対の側方突出部２０（２１、２２）は上方に突出するとともに前後方向Ｙの中央Ｙ０を含んで前後方向Ｙに延設されている。これにより、一対の側方突出部２０のうちの一方が足裏９０の土踏まずに当接して、他方が足裏９０の幅方向Ｘの外側部に当接して足裏９０を幅方向Ｘ外側から支持することができる。これにより、足９が外側に倒れることを防止することができ、理想的な立ち姿勢及び歩行姿勢を維持して、使用者の立ち姿勢及び歩行姿勢を改善することができる。
【００３６】
さらに、理想的な立ち姿勢を維持するには、距骨９５の上方に外くるぶし、膝の後方面、大転子、肩先及び耳たぶが一直線に並ぶように、距骨９５に身体の重心が位置するように意識することが重要となる。しかしながら、立ち姿勢では踵９３や爪先９１に重心が乗りやすいため、距骨９５に重心が位置するように意識することは難しい。この点に鑑み、接足部構造１では、前後方向Ｙの中央Ｙ０よりも後方に後方突出部１０が設けられており、後方突出部１０は上方Ｙ１に突出しているため、後方突出部１０の頂点１０ａが足裏９０の距骨９５の下方位置に当接しやすくなっている。これにより、後方突出部１０の頂点１０ａが足裏９０に当接することによって、使用者は距骨９５の下方位置を意識しやすくなるため、距骨９５に重心が位置するように意識することが容易となる。その結果、使用者は積極的に距骨９５に重心を位置させて、距骨９５の上方に外くるぶし、膝の後方面、大転子、肩先及び耳たぶが仮想直線９６上に一直線に並ぶようにすることにより、理想的な立ち姿勢となるように立ち姿勢を改善することができる。また、一対の側方突出部２０（２１、２２）が幅方向Ｘの両端部に設けられているため、足の内側又は外側に重心が偏ることを防止できる。これによっても、上記理想的な立ち姿勢となるように立ち姿勢を改善することができる。
【００３７】
さらに、人の理想的な歩行姿勢では、身体の重心は、踏み出した足の踵９３、小指の付け根、親指の順に移動する。従って、まず最初に踏み出した足の踵９３に重心を位置させることが重要となる。そして、本例の接足部構造１では、後方突出部１０が設けられていることにより、歩行時に足を着地させるたびに後方突出部１０により距骨９５の下方位置を含む踵９３近辺が押圧されることとなる。そして、仮に地面に垂直に足を下ろすような悪い歩行姿勢であっても、後方突出部１０によって踵９３近辺が押圧されるため、使用者は足を着地させる際に最初に踵９３に重心を位置させやすくなる。その結果、理想的な歩行姿勢に近づくように歩行姿勢を改善することができる。さらに、立った状態及び歩行状態のいずれにおいても後方突出部１０が足裏９０を押圧するために、足裏９０を指圧されたような気持良さを使用者に感じさせることができる。
【００３８】
さらに、本例の接足部構造１では、一対の側方突出部２０（２１、２２）のうちの一方が足裏の土踏まずに当接して土踏まずがアーチ状をなすように支持することができるため、偏平足になるのを防止することができる。さらに、一対の側方突出部２０（２１、２２）により、足９全体における前後方向Ｙのアーチ形状が維持されるように足裏９０を支持することができるため、足９のクッション性を向上させて、歩行時における足や腰ひいては体全体への衝撃を緩和することができる。さらに、一対の側方突出部２０（２１、２２）によって、幅方向Ｘの両端側から足裏９０を支持することができるため、接足部構造１が幅方向Ｘにおいて位置ずれするのを防止することができる。これにより、後方突出部１０が足裏９０の距骨９５の下方位置に当接した状態を維持することができるため、使用者に距骨９５の位置を一層意識させやすくなる。
【００３９】
さらに、本例の接足部構造１では、後方突出部１０と一対の側方突出部２０（２１、２２）との両方が設けられているため、後方突出部１０によって使用者に足裏９０の距骨９５の下方位置を含む踵９３近辺を意識させるとともに、一対の側方突出部２０（２１、２２）によって踵９３よりも前方Ｙ１の爪先９１側に位置する小指の付け根、親指などを意識させることができる。これにより、使用者は、足裏９０の踵９３を地面に着けた後、身体の重心を踵９３、小指の付け根、親指の順に移動させて爪先９１側を地面につける理想的な歩行姿勢を維持しやすくなり、歩行姿勢を改善することができる。
【００４０】
本例では、後方突出部１０は、曲面状をなしている。上述の通り、後方突出部１０は上方Ｚ１に突出しているため、後方突出部１０の頂点１０ａを含む領域が所定曲率の凸曲面となる。これにより、後方突出部１０が足裏９０に過度に刺激を与えることを防止できる。さらに、仮に後方突出部１０の頂点１０ｂが、距骨９５の下方位置から若干ずれた位置にある場合でも、後方突出部１０の頂点１０ｂ近傍の領域が足裏９０の距骨９５の下方位置に当接しやすいため、後方突出部１０により距骨９５の位置を使用者に一層意識させやすくなる。
【００４１】
また、本例では、一対の側方突出部２０（２１、２２）は、前後方向Ｙ及び幅方向Ｘにおいてアーチ状に湾曲する凸曲面状をなしている。これにより、足９全体における前後方向Ｙのアーチ形状が一層維持されるように足裏が支持されるため、足９のクッション性を一層向上できる。さらに、一対の側方突出部２０（２１、２２）のうち、土踏まずに当接する一方の側方突出部２１、２２の形状を土踏まずのアーチ形状に沿う形状にできるため、土踏まずのアーチ形状を維持させて偏平足になることを一層防止できる。
【００４２】
また、本例では、後方突出部１０の裏面には、上方Ｚ１に向けて凹んだ凹部５１が設けられている。これにより、後方突出部１０のクッション性を高めることができるため、後方突出部１０による足裏９０への衝撃を緩和することができる。さらに、後方突出部１０の形成材料の肉厚を比較的小さくすることができるため、成型時のヒケの発生を防止できるとともに、形成材料の使用量を削減して製造コストを低減することができる。
【００４３】
なお、本例では、履物１００の底面５には、底面溝５２が形成されている。これにより、歩行時に底面５が地面に押圧されて底面５と地面と密着する際に底面溝５２が底面５と地面との間の空気の逃げ部となる。その結果、歩行等に伴って底面５と地面と間で異音が生じることを防止することができる。
【００４４】
また、本例では、前後方向Ｙの中央Ｙ０よりも前方Ｙ１には、前方Ｙ１が低位でかつ幅方向に延設された前方段差部３０が設けられている。これにより、前方段差部３０に足指９２を引っ掛けるようにしたり、前方段差部３０を足指９２で掴むようにしたりしやすくなる。これらにより、使用者に足指９２で物を掴むという感覚を呼び覚ますことができ、足裏感覚の向上・改善が図られる。また、前方段差部３０に足指９２を引っ掛けたり、前方段差部３０を足指９２で掴むことにより、使用中に接足部構造１が足裏９０から離れることを防止することができる。また、本例では、前方段差部３０と後方突出部１０までの距離を足指９２から距骨９５の下方領域までの距離と合わせており、より理想的な重心位置を意識させることができる。
【００４５】
なお、本例では、前方段差部３０は上方Ｚ１に突出した形状としたが、これに替えて、前方段差部３０は上方Ｚ１に突出していないが、前方段差部３０の前方Ｙ１部分３０ｂに凹部を形成することにより、前方Ｙ１部分３０ｂが低位となる段差状にしてもよい。また、前方段差部３０の前方Ｙ１部分の厚さ（上下方向Ｚの大きさ）を小さくすることにより、前方段差部３０の前方Ｙ１部分の全域が低位となる段差状の前方段差部３０としてもよい。これらの場合も本例と同等の作用効果を奏する。
【００４６】
また、本例では、一対の側方突出部２０（２１、２２）の間には、幅方向Ｘにおいて上方Ｚ１に突出してアーチ状に湾曲する凸曲面を有する中間突出部４０が設けられている。これにより、中間突出部４０により、幅方向Ｘにおける足９のアーチ形状が維持されるように足裏９０を支持することができ、足９のクッション性を一層高めることができる。
【００４７】
また、本例では、接足部構造１は、幅方向Ｘの中央を通って前後方向Ｙに平行な中心線Ｘ０を基準として線対称に形成されている。これにより、接足部構造１を左右の足を区別することなく使用することができるため、左右の足の履き間違えが生じない。また、接足部構造１を左右の足を区別することなく製造できるため、製造コストを低減できる。
【００４８】
また、本実施例は、接足部構造１を有する履物１００としている。これにより、履物１００自体が接足部構造１を有するため、当該履物１００を履くだけで、接足部構造１による上記作用効果を奏することができる。
【００４９】
なお、本実施例では、接足部構造１において、後方突出部１０が他の部分と一体的に形成されて、接足部構造１（履物１００）として一部品となっている。これに替えて、後方突出部１０を履物１００と別体で形成するとともに、後方突出部１０を距骨９５の下方位置に位置するように着脱可能としてもよい。例えば、図１２（ａ）及び図１２（ｂ）に示すように、後方突出部１０を履物１００と別体で形成するとともに、後方突出部１０の下面に係合突起１２を設ける。そして、履物１００（接足部構造１）の踵部２に係合突起１２が係合する係合孔１３を設けて、係合突起１２を係合孔１３に係合可能なようにして、後方突出部１０を履物１００（接足部構造１）に着脱可能としてもよい。なお、係合突起１２と係合孔１３とに替えて、両者を平面状の面ファスナーにより形成して互いに係合可能とすることにより、後方突出部１０を履物１００（接足部構造１）に着脱可能としてもよい。この場合は、使用者の足の大きさに合わせて後方突出部１０の位置を変更可能に構成することができる。また、後方突出部１０を履物１００（接足部構造１）に着脱可能とすることにより、後方突出部１０を使用者の好みや足の形に応じた材質、硬さ、形状等を有するものに変更することが容易となる。
【００５０】
なお、接足部構造１の踵部３に、足９の踵９３を保持するための踵保持部を設けてもよい。当該踵保持部の形状、例えば、接足部構造１の踵部３において幅方向Ｘに橋渡された帯状としたり、接足部構造１の後端１ｂにおいて上方Ｚ１に立設された立壁としてもよい。踵保持部を上記帯状とする場合は、互いに締結可能なベルト部材からなることしてもよい。
【００５１】
以上のごとく、本実施例によれば、使用者の立ち姿勢及び歩行姿勢を改善することができる接足部構造１を提供することができる。
【００５２】
（実施例２）
実施例１では図６に示すように、履物１００の内底部に接足部構造１を有する構成としたが、本実施例では、これに替えて、図１３、図１４に示すように、履物用中敷２００の接足部２０１に接足部構造１を有する構成である。なお、本例において、実施例１と同等の構成要素には同一の符号を付して、その説明を省略する。
【００５３】
図１３、図１４に示すように、履物用中敷２００はその接足部２０１に、実施例１の履物１００における接足部構造１を同等の接足部構造１が形成されている。これにより、当該履物用中敷２００を所望の履物に適用することにより、所望の履物において接足部構造１によって奏される作用効果を奏することができる。
【００５４】
本発明は上記各実施例及び変形例に限定されるものではなく、その要旨を逸脱しない範囲において種々の実施形態に適用することが可能である。
【符号の説明】
【００５５】
１  接足部構造
２  踵部
３  爪先部
１０  後方突出部
２０  側方突出部
３０  前方段差部
４０  中央突出部
９０  足裏
１００  履物
２００  履物用中敷
【図１】
2018187114.tif 000003
【図２】
2018187114.tif 000004
【図３】
2018187114.tif 000005
【図４】
2018187114.tif 000006
【図５】
2018187114.tif 000007
【図６】
2018187114.tif 000008
【図７】
2018187114.tif 000009
【図８】
2018187114.tif 000010
【図９】
2018187114.tif 000011
【図１０】
2018187114.tif 000012
【図１１】
2018187114.tif 000013
【図１２】
2018187114.tif 000014
【図１３】
2018187114.tif 000015
【図１４】
2018187114.tif 000016